【手続補正書】
【提出日】平成24年6月6日(2012.6.6)
【手続補正１】
【補正対象書類名】特許請求の範囲
【補正対象項目名】全文
【補正方法】変更
【補正の内容】
【特許請求の範囲】
【請求項１】
分配機器のシステムであって、
該システムは、
医療施設において薬物を分配するための複数の分配機器のうちの１つを備える分配機器と、
該分配機器に通信可能に連結される中央サーバコンピュータシステムと
を備え、
該分配機器は、
排他的使用のために患者に割り当てられる１つ以上の患者別ビンと、
１つ以上の細目別ビンであって、該１つ以上の細目別ビンは、それぞれが、複数の患者による使用に利用可能である細目への割り当てのために配分される、１つ以上の細目別ビンと
を有して構成され、
該中央サーバコンピュータシステムは、
該患者のための薬物発注を分析して、該薬物発注から、第１の組の薬物を該１つ以上の細目別ビンに保管される薬物として識別することであって、該第１の組の薬物は、該患者に対して排他的でない薬物である、ことと、
該薬物発注を分析して、該薬物発注から、第２の組の薬物を該１つ以上の患者別ビンにおいて該患者のために保管される薬物として識別することであって、該第２の組の薬物は、該患者に対して排他的な薬物である、ことと、
該第２の組の薬物の少なくともサブセットを、該１つ以上の患者別ビンのうちの選択された患者別ビンに関連付けることと
を実行するように構成される、システム。
【請求項２】
前記中央サーバコンピュータシステムは、
前記第１の組の薬物のサブセットの保管のための前記選択された患者別ビンを自動的に識別することと、
前記複数の患者への供給に利用可能である細目の複数の追加のユニットの保管のための前記１つ以上の細目別ビンのうちの選択された細目別ビンを自動的に識別することと
を実行するようにさらに構成される、請求項１に記載のシステム。
【請求項３】
前記分配機器は、前記選択された患者別ビンにおいてストックされた薬物または取り除かれた薬物の識別子を送信するようにさらに構成され、
前記中央サーバコンピュータシステムは、
該送信された識別子を受信することと、
該受信された識別子に少なくとも部分的に基づいて、該選択された患者別ビンにおける在庫を追跡することと
を実行するようにさらに構成される、請求項１に記載のシステム。
【請求項４】
前記中央サーバコンピュータシステムは、
前記患者のための前記薬物発注にアクセスすることと、
該アクセスされた薬物発注を、前記分配機器における前記１つ以上の細目別ビンにストックされる細目のリストと比較することに基づいて、前記第２の組の薬物を識別することと
を実行するようにさらに構成される、請求項１に記載のシステム。
【請求項５】
前記中央サーバコンピュータシステムは、
前記選択された患者別ビンにおける在庫を追跡することと、
該追跡された在庫に少なくとも部分的に基づいて、該選択された患者別ビンにおいて再ストックされる細目を識別する情報を送信することと
を実行するようにさらに構成される、請求項１に記載のシステム。
【請求項６】
中央分配ユニットをさらに備え、
該中央分配ユニットは、
前記選択された患者別ビンにおいて再ストックされる前記細目を識別する前記送信された情報を受信することと、
該選択された患者別ビンに配置される該細目のうち、該中央分配ユニットにおいて利用可能である細目を識別するために、該受信された情報を処理することと
を実行するように構成される、請求項５に記載のシステム。
【請求項７】
前記分配機器は、無線通信するように構成される移動式分配機器である、請求項１に記載のシステム。
【請求項８】
前記複数の分配機器のうちの固定式分配機器をさらに備え、該固定式分配機器は、前記患者に割り当てられる第２の患者別ビンを含み、
前記中央サーバコンピュータシステムは、該第２の患者別ビンから前記選択された患者別ビンに移動される薬物を識別するようにさらに構成される、請求項７に記載のシステム。
【請求項９】
前記分配機器は、キャビネットを備え、
前記選択された患者別ビンは、容器、機構、場所、区域、または任意のそれらの組み合わせを備える、請求項１に記載のシステム。
【請求項１０】
医療施設において医療用品を分配するための分配機器であって、
該分配機器は、
複数の患者別ビンであって、該複数の患者別ビンは、それぞれ、排他的使用のために患者に割り当てられる、複数の患者別ビンと、
複数の細目別ビンであって、該複数の細目別ビンは、それぞれ、複数の患者による使用に利用可能である細目への割り当てのために配分される、複数の細目別ビンと、
該複数の患者別ビンおよび該複数の細目別ビンに通信可能に連結されるコンピュータと
を備え、該コンピュータは、
該患者のための薬物発注から、第１の組の薬物を該複数の細目別ビンに保管される薬物として識別することであって、該第１の組の薬物は、該患者に対して排他的でない薬物である、ことと、
該薬物発注から、第２の組の薬物を該複数の患者別ビンに該患者のために保管される薬物として識別することであって、該第２の組は第１の組を除外し、該第２の組は、該患者に対して排他的である薬物である、ことと、
該第２の組の薬物の少なくともサブセットを、該複数の患者別ビンのうちの選択された患者別ビンに関連付けることと
を実行するように構成される、分配機器。
【請求項１１】
前記コンピュータは、遠隔場所から追跡された前記選択された患者別ビンにおける在庫に少なくとも部分的に基づいて、該患者別ビンに再ストックされる細目を識別する情報を、該遠隔場所から受信するようにさらに構成される、請求項１０に記載の分配機器。
【請求項１２】
前記コンピュータに通信可能に連結され、かつ、前記選択された患者別ビンのための薬物の識別子を読み取るように構成される読み取り器と、
該コンピュータに通信可能に連結され、かつ、前記遠隔場所において指示された該識別子を送信するように構成される送信ユニットと
をさらに備える、請求項１１に記載の分配機器。
【請求項１３】
前記コンピュータは、前記複数の患者別ビンの前記患者への前記割り当てを指示するデータを受信するようにさらに構成される、請求項１０に記載の分配機器。
【請求項１４】
前記コンピュータは、
前記薬物発注が生成された後に、前記選択された患者別ビンを前記患者に割り当てることと、
該選択された患者別ビンにおける在庫を追跡することと、
該追跡された在庫に少なくとも部分的に基づいて、該選択された患者別ビンに再ストックされる細目を識別する情報を送信することと
を実行するようにさらに構成される、請求項１０に記載の分配機器。
【請求項１５】
前記分配機器は、遠隔の中央サーバコンピュータシステムと無線通信するように構成される移動式分配機器である、請求項１０に記載の分配機器。
【請求項１６】
前記分配機器は、固定式キャビネットを備え、
前記選択された患者別ビンは、前記患者のための複数の薬物を保持し、
該選択された患者別ビンは、該分配機器内の容器、機構、または区域を備える、請求項１０に記載の分配機器。
【請求項１７】
医療用品を分配する方法であって、
該方法は、
患者に関連付けられる分配機器における複数のビンを複数の患者別ビンとして配分することであって、該複数の患者別ビンは、それぞれ、排他的使用のための複数の患者のうちの選択された患者への割り当てに利用可能である、ことと、
該分配機器における複数のビンを複数の細目別ビンとして配分することであって、該複数の細目別ビンは、それぞれ、細目への割り当てに利用可能であり、各細目別ビンは、該複数の患者による使用のための特定の細目の複数のユニットを保持することに利用可能である、ことと、
患者のための薬物発注を分析して、該薬物発注から、第１の組の薬物を該複数の細目別ビンに保管される薬物として識別することであって、該第１の組の薬物は、該患者に対して排他的でない薬物である、ことと、
該薬物発注を分析して、該薬物発注から、第２の組の薬物を該複数の患者別ビンにおいて該患者のために保管される薬物として識別することであって、該第２の組は該第１の組を除外し、該第２の組は、該患者に対して排他的である薬物である、ことと、
該第２の組の薬物の少なくともサブセットを、該複数の患者別ビンのうちの選択された患者別ビンに関連付けることと
を含む、方法。
【請求項１８】
前記患者のための前記選択された患者別ビンに配置される前記第２の組の薬物の前記サブセットを決定することと、
該サブセットを識別するデータを送信することと
をさらに含む、請求項１７に記載の方法。
【請求項１９】
前記患者のための更新された薬物発注を受信することと、
前記分配機器のユーザから受信した入力に少なくとも部分的に基づいて、前記選択された患者別ビンにおける在庫を追跡することと、
該選択された患者別ビンに配置される前記第２の組の薬物の前記サブセットが、該更新された薬物発注および該追跡された在庫に基づいて再ストックまたは取り除かれるか否かを決定することと
をさらに含む、請求項１７に記載の方法。
【請求項２０】
前記選択された患者別ビンに配置される細目を識別するデータを中央サーバコンピュータシステムから無線で受信することと、
該選択された患者別ビンから除去された細目を識別するデータを無線で送信することと
をさらに含む、請求項１７に記載の方法。